(57)【特許請求の範囲】
【請求項１】
第一ガイドレール及び第二ガイドレールを有するガイド装置に取り付けられ、且つ一対の横ロッド及び一対の取付部材を備えるケーブル整理装置であって、
前記一対の横ロッドの第一端が別々に接続部材の両端に接続され、前記一対の横ロッドの第二端が別々に前記一対の取付部材に枢着され、
前記一対の取付部材は、別々に前記第一ガイドレール及び前記第二ガイドレールに固定され、少なくとも１つの取付部材が前記横ロッドと回転可能に接続する取付ブラケット及び該取付ブラケットに取り付けられた弾性係合部材を備え、前記少なくとも１つの取付部材がそれと接続される第一ガイドレール又は第二ガイドレールに沿って第一位置から第二位置まで滑ることができ、且つその弾性係合部材が前記第一ガイドレール又は前記第二ガイドレールに係合されて前記第二位置に固定され、
前記少なくとも１つの取付部材が前記第一ガイドレールに固定され、前記第一ガイドレールは、内部ガイドレールであって且つその上に一対のボルトが設置され、前記取付ブラケットに前記一対のボルトを収容する取付孔及び取付口が設置され、前記弾性係合部材に係合固定孔が設置され、前記弾性係合部材が変形してその第一端を前記取付ブラケットから離れる方向に向かって運動させる時、前記第一ガイドレールのボルトが前記取付孔に係合されるか又は前記取付孔から抜け出すことができ、前記弾性係合部材が元の状態に回復される時、前記ボルトが前記取付孔及び前記係合固定孔を同時に貫いて固定されることを特徴とするケーブル整理装置。
【請求項２】
前記取付ブラケットに枢着部が形成され、前記横ロッドの第二端に前記枢着部に枢着する回転部が形成されることを特徴とする請求項１に記載のケーブル整理装置。
【請求項３】
前記弾性係合部材の第二端に複数の接続孔が設置され、前記取付ブラケットに前記複数の接続孔に固定される複数の接続部が設置されることを特徴とする請求項１に記載のケーブル整理装置。
【請求項４】
前記第一ガイドレールのボルトは、軸部及び頭部を備え、前記取付ブラケットの取付孔は、前記頭部を貫かせるガイド部及び前記軸部を係合させる固定部を備え、前記ガイド部及び前記固定部が互いに連通されることを特徴とする請求項１に記載のケーブル整理装置。
【請求項５】
前記弾性係合部材が元の状態に回復される時、前記弾性係合部材が前記取付孔のガイド部を遮蔽するが、前記弾性係合部材の係合固定孔がちょうど前記取付孔の固定部に対応することを特徴とする請求項４に記載のケーブル整理装置。
【請求項６】
前記少なくとも１つの取付部材が前記第二ガイドレールに固定され、前記第二ガイドレールは、外部ガイドレールであって、その断面がＣ状であって、且つその上に係合固定孔が開設され、前記取付ブラケットに貫通孔が開設され、前記弾性係合部材に前記貫通孔を貫いてから前記第二ガイドレールの係合固定孔に係合固定される係合シートが設置され、前記弾性係合部材が変形してその第一端を前記取付ブラケットから離れる方向に向かって運動させる時、前記弾性係合部材の係合シートが前記第二ガイドレールの係合固定孔から抜け出すことを特徴とする請求項３に記載のケーブル整理装置。
【請求項７】
前記取付ブラケットの一端が前記弾性係合部材に向って直交するように延在して第一曲げ部を形成し、前記第一曲げ部の末端が直交するように延在して第二曲げ部を形成し、前記少なくとも１つの取付部材が前記第二ガイドレールに取り付けられる時、前記第一ガイドレールは、前記取付ブラケットの第二曲げ部と前記第二ガイドレールとの間に収容され且つ前記第二曲げ部に貼り合せることを特徴とする請求項６に記載のケーブル整理装置。
【発明の詳細な説明】
【技術分野】
【０００１】
本発明は、ケーブル整理装置に関するものである。
【背景技術】
【０００２】
現有の棚式サーバーラックは、キャビネット及び該キャビネットの中に設置された複数のサーバー・ケースを備える。前記キャビネットの両側にそれぞれガイド装置が設置されるため、前記キャビネットから前記サーバー・ケースを引き出すことができる。前記サーバー・ケースのバックエンドに複数の接続線が設置されて、信号を伝送するか又は電源に接続することに用いられる。前記サーバー・ケースを便利に引き出すために、前記キャビネットのバックエンドにケーブル整理装置を設置して前記複数の接続線を整理する。
【０００３】
ケーブル整理装置は、ヒンジによって連接される一対の支持アーム及び前記一対の支持アームの自由端に設置された一対の取付部を備える。ねじによって前記一対の取付部を前記キャビネット及び前記サーバー・ケースのバックエンドに固定するか、又は前記ガイド装置の第二ガイドレール及び第一ガイドレールに固定する。このような取付方式は、操作が繁雑であって、特にサーバー・ケースが薄い（例えば、ＩＵサーバーである）時、サーバー・ケースの間の空間が狭いため、ケーブル整理装置を便利に取り付けたり取り外したりすることができない。
【発明の概要】
【発明が解決しようとする課題】
【０００４】
本発明の目的は、前記課題を解決し、便利に取り付けたり取り外したりすることができるケーブル整理装置を提供することである。
【課題を解決するための手段】
【０００５】
前記目的を達成するため、本発明に係るケーブル整理装置は、第一ガイドレール及び第二ガイドレールを有するガイド装置に取り付けられ、且つ一対の横ロッド及び一対の取付部材を備えるケーブル整理装置であって、前記一対の横ロッドの第一端が別々に接続部材の両端に接続され、前記一対の横ロッドの第二端が別々に前記一対の取付部材に枢着され、前記一対の取付部材は、別々に前記第一ガイドレール及び前記第二ガイドレールに固定され、少なくとも１つの取付部材が前記横ロッドと回転可能に接続する取付ブラケット及び該取付ブラケットに取り付けられた弾性係合部材を備え、前記少なくとも１つの取付部材がそれと接続される第一ガイドレール又は第二ガイドレールに沿って第一位置から第二位置まで滑ることができ、且つその弾性係合部材が前記第一ガイドレール又は前記第二ガイドレールに係合されて前記第二位置に固定され、前記少なくとも１つの取付部材が前記第一ガイドレールに固定され、前記第一ガイドレールは、内部ガイドレールであって且つその上に一対のボルトが設置され、前記取付ブラケットに前記一対のボルトを収容する取付孔及び取付口が設置され、前記弾性係合部材に係合固定孔が設置され、前記弾性係合部材が変形してその第一端を前記取付ブラケットから離れる方向に向かって運動させる時、前記第一ガイドレールのボルトが前記取付孔に係合されるか又は前記取付孔から抜け出すことができ、前記弾性係合部材が元の状態に回復される時、前記ボルトが前記取付孔及び前記係合固定孔を同時に貫いて固定される。
【発明の効果】
【０００６】
本発明に係るケーブル整理装置は、その取付ブラケットに取り付けられた弾性係合部材によって、前記取付ブラケットをガイド装置に固定することができ、従って前記ケーブル整理装置を前記ガイド装置に便利に取り付けたり取り外したりすることができる。
【図面の簡単な説明】
【０００７】
【図１】本発明の実施形態に係るケーブル整理装置、キャビネット、ガイド装置及びサーバー・ケースの立体組立図である。
【図２】図１のII部分の局部拡大図である。
【図３】本発明の実施形態に係るケーブル整理装置の立体分解図である。
【図４】本発明の実施形態に係るケーブル整理装置の立体分解図である。
【図５】本発明の実施形態に係るケーブル整理装置の立体組立図である。
【図６】図５に示すケーブル整理装置の第一取付部材が設置された一端とガイドレールの分解図である。
【図７】図６に示す部材の組立図である。
【図８】図５に示すケーブル整理装置の第二取付部材が設置された一端とガイドレールの分解図である。
【図９】図８に示す部材の組立図である。
【発明を実施するための形態】
【０００８】
図１、図２、図６、図８を参照すると、本発明に係わるケーブル整理装置は、キャビネット１００に設置されてサーバー・ケース２００の接続線を整理することに用いられる。
【０００９】
前記キャビネット１００の片側の支持柱にガイド装置１０１が取り付けられ、前記ガイド装置１０１は、第一ガイドレール１０３及び第二ガイドレール１０５を備える。本実施形態において、前記第一ガイドレール１０３は、前記ガイド装置１０１の内部ガイドレールであって、前記第二ガイドレール１０５は、前記ガイド装置１０１の外部ガイドレールである。前記第一ガイドレール１０３のバックエンドに一対のボルト１０４ａ、１０４ｂが一定の距離を隔てて設置されており、前記一対のボルト１０４ａ、１０４ｂは、別々に軸部１０４２ａ、１０４２ｂ及び頭部１０４４ａ、１０４４ｂを備え、前記軸部１０４２ａ、１０４２ｂの両端は、別々に前記第一ガイドレール１０３及び前記頭部１０４４ａ、１０４４ｂに接続される。前記第二ガイドレール１０５の断面は、開口が縮小される“Ｃ”状である。前記第二ガイドレール１０５のバックエンドに一対の係合固定孔１０６が開設されている。
【００１０】
図３及び図４を参照すると、前記ケーブル整理装置は、第一支持アーム１０、第二支持アーム２０、接続部材３０、第一取付部材４０及び第二取付部材５０を備える。
【００１１】
前記第一支持アーム１０は、横ロッド１２及び該横ロッド１２に設置された複数のクリップ１４を備える。前記横ロッド１２の第一端が下に向かって曲がって回転部１２２を形成し、前記回転部１２２の延在方向は、前記横ロッド１２の長手方向に直交する。
【００１２】
前記第二支持アーム２０は、横ロッド２２及び該横ロッド２２に設置された複数のクリップ２４を備える。前記横ロッド２２の第一端が下に向かって曲がって回転部２２２を形成し、前記回転部２２２の延在方向は、前記横ロッド２２の長手方向に直交する。
【００１３】
本実施形態において、前記接続部材３０は、螺旋スプリングである。
【００１４】
前記第一取付部材４０は、取付ブラケット４２及びシート状の弾性係合部材４４を備える。前記取付ブラケット４２の一端が巻かれてそれぞれ枢着孔を有する一対の枢着部４２２を形成する。前記取付ブラケット４２の前記枢着部４２２に近付く所に互いに連通されるガイド部４２４２及び固定部４２４４からなる取付孔４２４が設置されており、前記ガイド部４２４２及び前記固定部４２４４は、皆円形であるが、前記ガイド部４２４２の直径は、前記固定部４２４４の直径より大きい。前記取付ブラケット４２の前記枢着部４２２から離れている端部に取付口４２６が形成されており、前記取付口４２６に近付く所に複数の接続部４２８が設置されている。一対の折辺が前記取付ブラケット４２の上、下側縁から内に向かって前記取付ブラケット４２の長手方向に直交する方向に沿って延在される。一対の制限シート４２９が前記一対の折辺の前記枢着部４２２に近付く一端から下に向かって前記折辺に直交する方向に沿って延在され、且つ前記一対の制限シート４２９は、対向設置される。前記弾性係合部材４４の一端が連続的に曲がって操作部４４２を形成する。前記弾性係合部材４４の前記操作部４４２に近付く所に係合固定孔４４６が設置され、前記弾性係合部材４４の前記操作部４４２に離れる一端に複数の接続孔４４８が開設される。
【００１５】
前記第二取付部材５０は、取付ブラケット５２及びシート状の弾性係合部材５４を備える。前記取付ブラケット５２の一端が巻かれてそれぞれ枢着孔を有する一対の枢着部５２２を形成する。前記取付ブラケット５２の前記枢着部５２２に近付く所に一対の貫通孔５２３が開設される。前記取付ブラケット５２の中部に外に向かって突出し且つ弾性を有する当接シート５２４が形成される。第一曲げ部５２６が前記取付ブラケット５２の前記枢着部５２２から離れる一端から内に向かって前記取付ブラケット５２の長手方向に直交する方向に沿って延在されており、第二曲げ部５２７が前記第一曲げ部５２６の端末から前記前記枢着部５２２から離れる方向に沿って前記第一曲げ部５２６に直交するように延在される。前記取付ブラケット５２の前記第一曲げ部５２６に近付く所に複数の接続部が設置される。前記弾性係合部材５４の一端が連続的に曲がって操作部５４２を形成する。前記弾性係合部材５４の前記操作部５４２に近付く所に外に向かって突出する一対の台形の係合シート５４４が設置され、前記弾性係合部材５４の前記操作部５４２から離れる一端に複数の接続孔５４８が開設される。前記弾性係合部材５４の中部に位置制限孔５４６が設置される。
【００１６】
図５を一緒に参照すると、前記ケーブル整理装置を組み立てる時、前記取付ブラケット４２の接続部４２８を前記弾性係合部材４４の対応する接続孔４４８に固定して前記第一取付部材４０を組み立てる。前記取付ブラケット４２の取付孔４２４の固定部４２４４を前記弾性係合部材４４の係合固定孔４４６に対応すると、前記取付孔４２４のガイド部４２４２は、前記弾性係合部材４４に遮蔽される。前記取付ブラケット５２の接続部５２８を前記弾性係合部材５４の対応する接続孔５４８に固定して前記第二取付部材５０を組み立てる。前記弾性係合部材５４の係合シート５４４が前記取付ブラケット５２の貫通孔５２３を貫くと、前記弾性係合部材５４の位置制限孔５４６がちょうど前記取付ブラケット５２の当接シート５２４に対応される。前記第一支持アーム１０の横ロッド１２の第二端（前記回転部１２２から離れる一端である）及び第二支持アーム２０の横ロッド２２の第二端（前記回転部２２２から離れる一端である）を別々に前記接続部材３０の両端に固定する。前記横ロッド１２の回転部１２２及び前記横ロッド２２の回転部２２２を別々に前記取付ブラケット４２の枢着部４２２の枢着孔及び前記取付ブラケット５２の枢着部５２２の枢着孔に枢着する。
【００１７】
図４、図６及び図７を一緒に参照すると、前記ケーブル整理装置の第一取付部材４０及び第二取付部材５０は、別々に前記ガイド装置１０１の第一ガイドレール１０３及び第二ガイドレール１０５に取り付けられる。
【００１８】
前記取付ブラケット４２の取付孔４２４のガイド部４２４２を前記第一ガイドレール１０３のボルト１０４ａに対応させ、且つ前記取付ブラケット４２を前記第一ガイドレール１０３に貼り合わせる。前記ボルト１０４ａの頭部１０４４ａが前記取付孔４２４のガイド部４２４２を貫いて前記弾性係合部材４４を押すと、前記弾性係合部材４４が前記取付ブラケット４２から離れる方向に向かって弾性変形する。前記第一ガイドレール１０３のボルト１０４ｂは、ちょうど前記取付ブラケット４２の取付口４２６に対応される。前記取付ブラケット４２が前記ガイド装置１０１のガイド方向に沿って前に向かって滑ると、前記ボルト１０４ａ、１０４ｂの軸部１０４２ａ、１０４２ｂは、別々に前記取付孔４２４の固定部４２４４及び前記取付ブラケット４２の取付口４２６に滑り込まれる。前記ボルト１０４ａがちょうど弾性係合部材４４の係合固定孔４４６に対応する時、前記弾性係合部材４４が弾性復帰して、前記ボルト１０４ａの頭部１０４４ａが前記係合固定孔４４６を貫く。前記弾性係合部材４４の前記係合固定孔４４６の辺縁が前記ボルト１０４ａの頭部１０４４ａを押して、前記ボルト１０４ａの軸部１０４２ａを前記取付孔４２４の固定部４２４４に安定するように係合させるとともに、前記ボルト１０４ａの軸部１０４２ｂを前記取付口４２６に係合させて、前記第一取付部材４０を前記第一ガイドレール１０３に取り付ける。
【００１９】
図４、図８及び図９を一緒に参照すると、バックエンドから前記ガイド装置１０１のガイド方向に沿って前記取付ブラケット５２を前記第二ガイドレール１０５に滑り込んで、前記弾性係合部材５４の係合シート５４４が前記第二ガイドレール１０５を押す時、前記弾性係合部材５４は、前記取付ブラケット５２から離れる方向に向かって弾性変形する。続いて前に向かって前記取付ブラケット５２を滑らせて、前記弾性係合部材５４の係合シート５４４がちょうど前記第二ガイドレール１０５の係合固定孔１０６に対応する時、前記弾性係合部材５４が弾性復帰して、前記弾性係合部材５４の係合シート５４４を前記第二ガイドレール１０５の係合固定孔１０６に係合させて、前記第二取付部材５０を前記第二ガイドレール１０５に取り付ける。前記取付ブラケット５２の当接シート５２４が前記第二ガイドレール１０５に緊密に当接する。前記取付ブラケット５２の第二曲げ部５２７と前記第二ガイドレール１０５との間に収容空間を形成する。前記第二ガイドレール１０５の断面は、開口が縮小される“Ｃ”状であるため、前記取付ブラケット５２は、ただ前記第二ガイドレール１０５のガイド方向に平行する方向に沿って滑り込んだり滑り出したりすることができる。
【００２０】
使う時、前記サーバー・ケース２００の接続線を前記第一支持アーム１０の横ロッド１２及び前記第二支持アーム２０の横ロッド２２に巻き付け、且つクリップ１４，２４の中に係合させる。前記サーバー・ケース２００を前記キャビネット１００に引き込む時、前記接続部材３０が曲げられ、前記横ロッド１２及び前記横ロッド２２が互いに近付いて、前記第一ガイドレール１０３のバックエンドが前記取付ブラケット５２の第二曲げ部５２７と前記第二ガイドレール１０５との間に入り且つ前記第二曲げ部５２７に取り付けられる（図２を参照してください）。前記サーバー・ケース２００の接続線が多い時、前記横ロッド１２及び前記第一ガイドレール１０３が受ける力が大きく、前記第二取付部材５０の取付ブラケット５２の第二曲げ部５２７が前記第一ガイドレール１０３に取り付けられ、前記第一ガイドレール１０３が内に向かって変形して損害されることを免れることができる。前記サーバー・ケース２００を前記キャビネット１００から引き出す時、前記第一取付部材４０が前記第一ガイドレール１０３のガイド方向に沿って前に向かって滑り、前記接続部材３０がだんだん伸長するに従って前記横ロッド１２及び前記横ロッド２２が互いに離れる。
【００２１】
前記キャビネット１００のガイド装置１０１から前記ケーブル整理装置を取り外す時、前記取付ブラケット４２から離れる方向に向かって前記第一取付部材４０の弾性係合部材４４の操作部４４２を牽引して、前記第一ガイドレール１０３のボルト１０４ａの頭部１０４４ａが前記弾性係合部材４４の係合固定孔４４６から抜け出すようにして、後に向かって前記取付ブラケット４２を引っ張ると、前記ボルト１０４ａの軸部１０４２ａが前記取付ブラケット４２の取付孔４２４の固定部４２４４からガイド部４２４２に滑り込むとともに、前記ボルト１０４ｂの軸部１０４２ｂが前記取付ブラケット４２の取付口４２６を滑り出し、前記第一ガイドレール１０３から離れる方向に向かって前記取付ブラケット４２を引っ張ると、前記ボルト１０４ａの頭部１０４４ａが前記取付ブラケット４２の取付孔４２４のガイド部４２４２から抜け出して、前記第一ガイドレール１０３から前記第一取付部材４０を取り外すことができる。前記弾性係合部材４４の操作部４４２を牽引する時、前記第一取付部材４０の取付ブラケット４２の制限シート４２９の阻止によって、前記弾性係合部材４４が過度変形して損害されることを免れる。
【００２２】
前記取付ブラケット５２から離れる方向に向かって前記第二取付部材５０の弾性係合部材５４の操作部５４２を牽引して、前記弾性係合部材５４の係合シート５４４が前記第二ガイドレール１０５の係合固定孔１０６から抜け出すことにして、後に向かって前記取付ブラケット５２を引っ張ると、前記第二ガイドレール１０５から前記第二取付部材５０を取り外すことができる。
【００２３】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００２４】
１０  第一支持アーム
１２，２２  横ロッド
１４，２４  クリップ
２０  第二支持アーム
３０  接続部材
４０  第一取付部材
４２，５２  取付ブラケット
４４  弾性係合部材
５０  第二取付部材
１００  キャビネット
１０１  ガイド装置
１０３  第一ガイドレール
１０４ａ，１０４ｂ  ボルト
１０５  第二ガイドレール
１０６，４４６  係合固定孔
１２２，２２２  回転部
２００  サーバー・ケース
４２２，５２２  枢着部
４２４  取付孔
４２６  取付口
４２８，５２８  接続部
４２９  制限シート
４４２，５４２  操作部
４４８，５４８  接続孔
５２３  貫通孔
５２４  当接シート
５２６  第一曲げ部
５２７  第二曲げ部
５４４  係合シート
５４６  位置制限孔
１０４２ａ，１０４２ｂ  軸部
１０４４ａ，１０４４ｂ  頭部
４２４２  ガイド部
４２４４  固定部
【図１】
0005296596.tif 000002
【図２】
0005296596.tif 000003
【図３】
0005296596.tif 000004
【図４】
0005296596.tif 000005
【図５】
0005296596.tif 000006
【図６】
0005296596.tif 000007
【図７】
0005296596.tif 000008
【図８】
0005296596.tif 000009
【図９】
0005296596.tif 000010